【事件の表示】
　平成１１年特許願第２８６０５８号「浴水浄化循環装置」拒絶査定不服審判事件〔平成１３年　４月１７日出願公開、特開２００１−１０４１８１〕について、次のとおり審決する。
【結　論】
　本件審判の請求は、成り立たない。
【理　由】
第１　手続きの経緯  
　本願は，平成１１年１０月６日に特許出願としたものであって，平成２１年７月２４日付けで拒絶査定がなされ，これに対し，同年１０月２７日に審判請求がなされるとともに，手続補正がなされたものである。 
　その後，当審より，平成２２年１２月２１日付けで，平成２１年１０月２７日付けの手続補正に対して補正の却下の決定を行い，同日付で拒絶理由を通知したところ，平成２３年２月２１日に意見書及び手続補正書が提出された。 
　
　
第２　本願発明 
　本願の請求項１に係る発明は，平成２３年２月２１日付け手続補正により補正された明細書の特許請求の範囲の請求項１に記載された事項により特定される，以下のとおりのものである。 
「【請求項１】
　塩素等の浄化剤を貯留する浄化剤貯留部と、
浄化剤投入制御部プログラムが記憶されるプログラム記憶部と、
予め予想した入浴人数データテーブル、入浴時間データテーブル、入浴間隔データテーブル、浴水入替間隔データテーブル、カレンダデータテーブル等の複数の入浴パターンのデータが予め記録された入浴パターン記録部と、
該入浴パターン記録部から読み出される入浴パターンデータに対応する名称、アイコン、その他のメニュー情報を出力表示する表示手段と、
該表示手段に表示される複数の入浴パターンのうち、使用者の入浴形態に最も近い各入浴パターンを選択入力する入浴パターン選択手段と、
該入浴パターン選択手段により選択入力された前記入浴人数データテーブル、入浴時間データテーブル、入浴間隔データテーブル、浴水入替間隔データテーブル、カレンダデータテーブル等のデータを適切に組み合わせ、浄化剤投入量、投入時刻等を含んで生成された浄化剤投入データを含む投入データテーブルに基づいて浄化剤投入する時刻に、前記浄化剤貯留部を投入制御する浄化剤投入制御手段とを備えたことを特徴とする浴水浄化循環装置。」（以下，「本願発明」という。）
　
　
第３　引用刊行物  
（１）刊行物１ 
　当審の拒絶の理由に引用され，本願出願前に頒布された刊行物である，特開平１１−４７０１２号公報（以下，「刊行物１」という。）には，以下の記載がある。  
（１ａ）「【請求項１】　浴槽の浴水を循環ポンプにより吸引し、浄化槽と殺菌手段を経て循環させて上記浴槽に戻す風呂循環浄化装置において、 
　循環する浴水に電圧を印可し、浴水に流れる電流を検出する電流検出手段と、 
　この電流検出手段により検出された電流値に基づいて上記風呂循環浄化装置を制御する制御手段とを備えたことを特徴とする風呂循環浄化装置の制御装置。 
【請求項２】（記載を省略） 
【請求項３】（記載を省略） 
【請求項４】　制御手段は、時刻を出力する計時手段と、 
電流検出手段により検出された電流値と上記計時手段から出力された時刻を記憶する電流・時刻記憶手段と、 
　この電流・時刻記憶手段に記憶された電流値と時刻に基づいて入浴の有無と汚濁度合いを判定する入浴・汚濁度合判定手段と、 
　この入浴・汚濁度合判定手段で入浴したと判定された時刻と汚濁度合いを記憶する入浴・汚濁度合い記憶手段と、 
　この入浴・汚濁度合い記憶手段の出力から入浴パターンを算出する入浴パターン算出手段と、 
　この入浴パターン算出手段で算出された入浴パターンを記憶する入浴パターン記憶手段と、 
　この入浴パターン記憶手段で記憶された入浴パターンに基づいて殺菌を行う時刻を定め、殺菌手段に殺菌動作を指令する殺菌動作指令手段とを備えたことを特徴とする請求項１記載の風呂循環浄化装置。 
【請求項５】　電極部に流入する浴水の電流値を検出する電流検出ステップと、 
　上記検出された電流値と検出された時刻を電流・時刻記憶手段に記憶する第１の記憶ステップと、 
　上記記憶された電流値と時刻に基づいて入浴の度合いと浴水の汚濁度合いを判定する判定ステップと、 
　判定された入浴の度合い、浴水の汚濁度合及び時刻を記憶させる第２の記憶ステップと、 
　記憶された時刻とこの時刻に対応する入浴の度合いに基づいて曜日毎の１日の入浴パターンを算出するパターン算出ステップと、 
　上記入浴パターンを入浴パターン記憶手段に記憶させる第３の記憶ステップと、 
　記憶された上記入浴パターンに基づいて、殺菌動作指令手段により塩素を投入する殺菌動作指令ステップとを備えたことを特徴とする風呂循環浄化装置の制御方法。 
【請求項６】　殺菌動作指令ステップは、記憶された入浴パターンの入浴時間帯の一定時間前に塩素剤を投入することを特徴とする請求項５記載の風呂循環浄化装置の制御方法。 
【請求項７】（記載を省略） 
【請求項８】（記載を省略）」（【特許請求の範囲】） 
 　 
（１ｂ）「この発明は、循環している浴水を浄化槽により浄化し、塩素、オゾン等を用いて殺菌し、浴水を長期間入れ換えるることなく入浴できる風呂の風呂循環浄化装置とその制御方法に関する。」（段落【０００１】） 
 　 
（１ｃ）「実施の形態２．以下、この発明の実施の形態２について説明する。本実施の形態は、実施の形態１に浴水の汚れの経時変化も考慮して、浄化を行うものである。図４はこの発明の実施の形態２を示す風呂循環浄化装置の構成図、図５は入浴状態と電流の関係図である。
　なお、実施の形態１を示す図１と同一または相当部分には同じ符号を付し説明を省略する。図４において１１は時刻を出力する計時手段、１２は電流検出手段１０の検出された電流と計時手段１１から出力された時刻を記憶する電流・時刻記憶手段、４２は電流・時刻記憶手段１２に記憶された電流値と時刻から汚れ具合を判定する汚濁度合判定手段、４３は汚濁度合判定手段の出力に基づいて循環ポンプ９の回転速度を制御するポンプ駆動制御手段である。４１は計時手段１１、電流・時刻記憶手段１２、汚濁度合判定手段４２及びポンプ駆動制御手段４３からなる駆動制御手段である。
　次に、このように構成されたす風呂循環浄化装置の動作について説明する。まず、循環ポンプ２により浴槽６の浴水は入水路３１へ汲み上げられ、電極部１に流入する。電極部１には定電圧電源９により一定電圧が印加されており、電流検出手段１０が電極１８ａ、１８ｂ間の浴水７に流れる電流値を検出する。
　ここで、電極部１に流れる電流と塩素濃度の関係は実施の形態１の図３で説明したように電流値を測定することにより、浴水の汚れ知ることができ、入浴することにより、人体の皮膚から出る塩分や汚濁物により、浴水の塩分や汚濁物の濃度が上昇するので、電極に流れる電流値が上昇する。従って、図５に示されるように、電流値を測定することにより、人が入浴開始、終了時及び浴槽の汚れが浄化され定常状態となる復帰点の時刻と、その時刻における汚れを知ることができる。
　図において縦軸は電極部１に流れる電流値、横軸は時計手段１１から出力される時刻、Ｔ１は入浴開始時刻、Ｔ２は入浴終了時刻，Ｔ３は復帰（浄化完了）時刻である。入浴前の浄化されている浴水の電流値は定常値Ｉ１であり、入浴開始時刻Ｔ１から電流値が上昇し、入浴終了時Ｔ２では電流が極大値Ｉ２となり、入浴での汚れが浄化され浄化完了時Ｔ３で電流値が定常値Ｉ１に戻る。これらの入浴開始時刻Ｔ１に流検出手段１０により検出された電流値Ｉ１、入浴終了時Ｔ２の電流値Ｉ２、浄化完了時Ｔ２の電流値が定常値Ｉ１は、電流・時刻記憶手段１２に記憶される。」（段落【００２５】〜【００３０】） 
 　 
（１ｄ）「実施の形態３．以下、この発明の実施の形態３について説明する。図６はこの発明の実施の形態３を示す風呂循環浄化装置の構成図、図７は動作フローチャートである。
　なお、実施の形態１、２を示す図１、図４と同一または相当部分には同じ符号を付し説明を省略する。図６において、１３は電流・時刻記憶手段１２に記憶された電流から入浴の度合と汚濁度合いを判定する入浴・汚濁度合判定手段、１４は入浴・汚濁度合判定手段１３で判定された結果を記憶する入浴・汚濁時刻記憶手段、１５は入浴・汚濁時刻記憶手段１４に記憶された入浴・汚濁の時刻から入浴パターンを算出する入浴パターン算出手段、１６は入浴パターン算出手段１５で算出された入浴パターンを記憶する入浴パターン記憶手段、１７は入浴パターン記憶手段１６で記憶された入浴パターンに基づいて殺菌を行う時刻を定め、殺菌手段４に殺菌動作を指令する殺菌動作指令手段である。
　次に、このように構成された風呂循環浄化装置の動作について説明する。まず、循環ポンプ２により汲み上げられ、電極部１に流入した浴水の電流値を電流検出手段１０が検出する。実施の形態２の図５に示した時間と電流の関係のように、入浴開始時刻Ｔ２に検出された電流値Ｉ１、入浴終了時Ｔ２の電流値Ｉ２、浄化完了時Ｔ３の電流値が定常値Ｉ１は、電流・時刻記憶手段１２に記憶される。
　次に、入浴・汚濁度合判定手段１３は、電流・時刻記憶手段１２に記憶された電流から入浴の度合（有無）、または汚濁度を判定するが、この動作を、図７に示す動作フローチャートにより説明する。 
　まず、入浴終了時Ｔ２の電流の極大値Ｉ２と入浴開始時刻Ｔ１の電流の定常値Ｉ１との差と、入浴終了時Ｔ２と電流の極大値Ｉ２と入浴開始時刻Ｔ１との差の商があらかじめ定められた値Ａを越えるかどうか比較し（ステップＳ１）、Ａを越えるときは入浴していると判定し（ステップ２）、Ａを越えない場合は入浴していないと判定する（ステップＳ３）。 
　入浴していると判定されたときはステップＳ４に進み、汚れ度合を入浴終了時Ｔ２の電流の極大値Ｉ２と入浴開始時刻Ｔ１の電流の定常値Ｉ１との差とする。入浴していないと判定されたときはステップＳ５に進み、汚濁度合いを０とする。次に、入力しているときの汚濁度（Ｉ２−Ｉ１）、入浴してないときの汚れ度合（０）、入浴開始時刻Ｔ１、入浴終了時刻Ｔ２及び復帰（浄化完了）時刻Ｔ３を入浴情報として入浴・汚濁度合記憶手段１４に記憶させる（ステップＳ６）。 
　なお、判定（値）、入浴開始時刻Ｔ１は、次に説明する入浴パターンに使用されるが、汚濁度は実施の形態２のように、浄化槽３の制御に使用され、入浴終了時刻Ｔ２から復帰（浄化完了）時刻Ｔ３の時間は、浄化性能の評価に使用される。 
　次に、入浴・汚濁度合記憶手段１４の入浴情報時刻から、例えば、曜日毎の１日分の入浴パターンを判定する入浴パターン算出手段１５の動作を、メモリのデータ格納状態を示す図８により説明する。入浴パターン算出手段１５は入浴状態について学習処理を行って判断するものであり、図８は入浴・汚濁度合記憶手段１４のメモリのデータのうち、入浴パターンに関する入浴の有無の判定値と入浴開始時間Ｔ１に基づくデータの格納状態を示し、同図（ａ）は１日の時刻別の学習処理を行う１時間毎の初期メモリである。同図（ｂ）は第一週目の月曜日の１時間毎の入浴度数を示す。例えば、１７〜１８時の間では入浴回数が１回、２１〜２２時の間では入浴回数が２回である。同様に、同図（ｃ）は火曜日、（ｄ）は日曜日の入浴度数を示す。これらの入浴パターンは入浴パターン記憶手段１６に記憶される。同図（ｅ）は曜日別の学習処理を例えば４週間続けた結果、月曜日の入浴度数累計を示すものである。このように各曜日毎の入浴パターン累計は入浴パターン記憶手段１６に記憶される。 
　次に、殺菌動作判定手段１７は、例えば、入浴パターン記憶手段１６に記憶された曜日毎の４週間の累計の入浴パターンに基づいて、例えば入浴時間帯の２時間前に塩素剤（オゾン、紫外線、または熱等の殺菌手段）を投入するように殺菌手段（塩素剤投入手段、オゾン殺菌手段、紫外線照射手段、または加熱手段）４に指令する。例えば、図８（ｅ）の月曜日のパターンでは３時、１５時および１８時に塩素剤を投入するように殺菌手段４に指令する。 
　なお、２時間前としたのは、２時間で残留塩素及び菌がほぼ０となるからである。ただし、入浴時間帯から２時間前までに他の入浴時間帯がある場合は塩素を投入しない。また、塩素の投入量は入浴・汚濁度合い記憶手段１４の汚濁度合いに基づいて定められる。 
　以上のように、入浴パターンによって塩素の投入を行うので、入浴する人に不快感を与えず、また、殺菌の効果が減少することもなく、快適な風呂循環浄化装置が得られる。」（段落【００３３】〜【００４３】） 
 　 
　上記の記載事項（１ａ）〜（１ｄ）及び図面の記載からみて，刊行物１には，以下の発明が記載されているものと認められる。  
「循環する浴水に電圧を印可し，浴水に流れる電流を検出する電流検出手段と，
　時刻を出力する計時手段と，
　電流検出手段により検出された電流値と計時手段から出力された時刻を記憶する電流・時刻記憶手段と， 
　この電流・時刻記憶手段に記憶された電流値と時刻に基づいて入浴の有無と汚濁度合いを判定する入浴・汚濁度合判定手段と， 
　この入浴・汚濁度合判定手段で入浴したと判定された時刻と汚濁度合いを記憶する入浴・汚濁度合い記憶手段と， 
　この入浴・汚濁度合い記憶手段の出力から入浴パターンを算出する入浴パターン算出手段と， 
　この入浴パターン算出手段で算出された入浴パターンを記憶する入浴パターン記憶手段と， 
　この入浴パターン記憶手段に記憶された入浴パターンに基づいて塩素剤を投入する時刻を定め，定めた時刻に殺菌手段に対して塩素剤を投入するように指令する殺菌動作指令手段とを備えた風呂循環浄化装置。」（以下，「刊行物１記載の発明」という。） 
 　 
（２）刊行物２ 
　本願出願前に頒布された刊行物である，特開平９−７２９７４号公報（以下，「刊行物２」という。）には，以下の記載がある。  
（２ａ）「【請求項７】　１日を複数の時間帯に分割し各時間帯に対応する複数のメモリーを有するタイマー制御部と、上記各時間帯毎に入浴時間帯又は非入浴時間帯を設定し上記タイマー制御部の各メモリーに記憶させるタイマー設定部と、上記タイマー制御部のメモリーに対応した複数の表示部で構成され上記タイマー設定部の設定に応じて表示を行なうタイマー表示部と、オゾンを発生させ浴水と混合させるオゾン発生器と、時刻をカウントする時計制御部と、この時計制御部の時計カウントに同期して上記メモリーの内容を読み出し、メモリーの内容に応じて上記オゾン発生器から発生するオゾンの濃度を制御するオゾン殺菌制御部を備えたことを特徴とする風呂装置。 
【請求項８】　タイマー表示部のうち、現在時刻が含まれる時間帯に対応する表示部を点滅させることを特徴とする請求項２、請求項３、または請求項７記載の風呂装置。」（【特許請求の範囲】） 
 　 
（２ｂ）「従来の２４時間利用可能な風呂装置は以上のように構成されているので、最大２パターンの入浴時間帯しか設定することができず、いろいろな入浴シーンに対応することができないという問題点があった。・・・また、入浴の際オゾン殺菌を停止して、人体に対する安全を確保するためのオゾン停止スイッチを有しているが、入浴の度にスイッチを押さなくてはならないので、非常に手間がかかり、またオゾン停止スイッチを押さない可能性もあり、オゾン停止スイッチの本来の機能を発揮できない状態が発生するなどの問題点があった。 
　この発明は上記のような問題点を解消するためになされたもので、利用時間帯に応じて装置の制御を行なうための２４時間タイマーを得ることを目的とする。また、この２４時間タイマーを用いて、多くの入浴シーンに対応できるよう入浴時間帯の選択に自由度を幅広くもたせ、かつそれらの選択された入浴時間帯に対応した保温制御を行ない、その保温制御状況が視覚的にわかりやすい表示形態となり、さらに入浴時間帯の設定情報をオゾン殺菌制御に還元する自動殺菌制御行なう風呂装置を提供することを目的としている。」（段落【０００７】〜【０００８】） 
 　 
（２ｃ）「以下この発明の一実施の形態について説明する。図１は、使用者が入浴時間帯や湯温を設定する操作パネル１を示すものであって、ここで設定された情報が制御装置（図２に示すコントローラー１０）に送られ、浴水の保温制御が行なわれる。図１において、２は風呂装置の利用時間帯である入浴時間帯又は非利用時間帯である非入浴時間帯を設定するタイマー設定部であり、設定したい時間帯に対応する表示にカーソルを移動させる送りスイッチ２ａと、入浴時間帯又は非入浴時間帯をセットするセットスイッチ２ｂとで構成されている。３は１日の２４時間を８個に分割して表示３ａ〜３ｈに分け、サークル状に表示したタイマー表示部であり、タイマー設定部２のセットスイッチ２ｂにより入浴時間帯としてセットされた時間帯に相当する表示が点灯するように構成されている。図においては、斜線で示すように表示３ｂと表示３ｈが点灯しており、３〜６時及び２１〜０時が入浴時間帯としてセットされた状態を表示している。また、４は設定温度を表示する設定温度表示部、５は現在湯温を表示する現在湯温表示部であり、表示切換スイッチ６により表示を切り換えると、設定温度表示部４及び現在湯温表示部５にそれぞれ時・分が表示される時計表示部７となる。また、８は入浴時間帯における浴水の設定温度を調節する温度設定部であるが、表示切換スイッチ６により表示が時計表示に変わったときは現在時刻を調節する時計設定部９となる。 
　図２はこの実施の形態における風呂装置のシステム図である。図において、１０は風呂装置の制御を行なうコントローラーである。浴水はポンプ１１により吸込口１２より吸い込まれ、吐出口１３より浴槽に戻され循環している。コントローラー１０は、タイマー設定部２から入力された入浴・非入浴の情報、温度設定部８からの設定温度の情報、温度検知部１４からの温度情報、及び時計設定部９からの現在時刻情報によりヒーター１５の通電を制御して浴水の保温を行ない、また、オゾン発生信号をオゾン発生器１６に出力して、オゾンを発生させる。発生したオゾンは負圧によりオゾン誘導パイプ１７を通り浴水と混合され、浴水の殺菌を行なう。 
　図３は、コントローラー１０のブロック図である。２０はタイマー制御部であり、メモリーａ〜メモリーｈの８個のメモリー２１で構成され、各メモリーにはタイマー設定部２で任意に独立して入浴、非入浴の設定情報を記憶させることができる。また、各メモリー内容は、時計制御部２２の時計カウントに同期して、０〜３時のときはメモリーａの情報が、３〜６時のときはメモリーｂの情報が、６〜９時のときはメモリーｃの情報が、９〜１２時のときはメモリーｄの情報が、１２〜１５時のときはメモリーｅの情報が、１５〜１８時のときはメモリーｆの情報が、１８〜２１時のときはメモリーｇの情報が、２１〜０時のときはメモリーｈの情報が保温制御部２３及びオゾン殺菌制御部２４に出力される。この時計カウントに同期して出力される、入浴・非入浴情報をもとに、保温制御部２３ではヒーター１５により保温制御を行なう。具体的には、入浴情報を確認したときは、温度設定部８より出力される設定温度（例えば４２度）で浴水の保温制御を行ない、非入浴のときは、自動的に予め設定された低い温度（例えば３５度）に設定温度を変更して浴水の保温制御を行ない、保温エネルギーの節約を図る。 
　また、タイマー制御部２０の入浴・非入浴の情報をオゾン殺菌制御部２４に出力し、入浴時間帯であれば、非入浴時間帯に比べオゾン濃度を薄くしたり、またはオゾン殺菌を停止したりするように、オゾン発生器１６を制御して殺菌制御を行なう。」（段落【００１７】〜【００２０】） 
 　 
　上記の記載事項（２ａ）〜（２ｃ）及び図面の記載からみて，刊行物２には，以下の発明が記載されているものと認められる。  
「１日の２４時間を８個に分割して表示部に表示させ，使用者が設定したい時間帯に対応する表示にカーソルを移動させて入浴時間帯をセットさせることにより，入浴・非入浴情報を取得し，取得した入浴・非入浴情報に基づいて保温制御及び殺菌制御を行う，風呂装置。」（以下，「刊行物２記載の発明」という。）
 　 
第４　当審の判断 
１．本願発明と刊行物１記載の発明との対比
　本願発明と刊行物１記載の発明とを対比すると，刊行物１記載の発明の「塩素剤」が本願発明の「塩素等の浄化剤」に相当しており，刊行物１記載の発明の「殺菌手段」が「塩素等の浄化剤を貯留する浄化剤貯留部」に相当する構成を備えていることは，自明である。 
　そして，刊行物１記載の発明の「循環する浴水に電圧を印可し，浴水に流れる電流を検出する電流検出手段と，時刻を出力する計時手段と，電流検出手段により検出された電流値と計時手段から出力された時刻を記憶する電流・時刻記憶手段と，この電流・時刻記憶手段に記憶された電流値と時刻に基づいて入浴の有無と汚濁度合いを判定する入浴・汚濁度合判定手段と，この入浴・汚濁度合判定手段で入浴したと判定された時刻と汚濁度合いを記憶する入浴・汚濁度合い記憶手段と，この入浴・汚濁度合い記憶手段の出力から入浴パターンを算出する入浴パターン算出手段」と，本願発明の「予め予想した入浴人数データテーブル，入浴時間データテーブル，入浴間隔データテーブル，浴水入替間隔データテーブル，カレンダデータテーブル等の複数の入浴パターンのデータが予め記録された入浴パターン記録部と，該入浴パターン記録部から読み出される入浴パターンデータに対応する名称，アイコン，その他のメニュー情報を出力表示する表示手段と，該表示手段に表示される複数の入浴パターンのうち，使用者の入浴形態に最も近い各入浴パターンを選択入力する入浴パターン選択手段」とは，ともに「使用者の入浴パターンを取得する手段」として共通している。 
　さらに，刊行物１記載の発明の「入浴パターンに基づいて塩素剤を投入する時刻を定め，定めた時刻に殺菌手段に対して塩素剤を投入するように指令する殺菌動作指令手段」と本願発明の「入浴パターン選択手段により選択入力された入浴人数データテーブル，入浴時データテーブル，入浴間隔データテーブル，浴水入替間隔データテーブル，カレンダデータテーブル等のデータを適切に組み合わせ，浄化剤投入量，投入時刻等を含んで生成された浄化剤投入データを含む投入データテーブルに基づいて浄化剤投入する時刻に，浄化剤貯留部を投入制御する浄化剤投入制御手段」とは，共に，「取得した使用者の入浴パターンに基づいて浄化剤投入時刻を決定し，浄化剤投入時刻に浄化剤を投入する浄化剤投入制御手段」として共通している。
　また，刊行物１記載の発明においても，「使用者の入浴パターンの取得や入浴パターンに基づく浄化剤の投入の制御をコンピュータで行うためのプログラム」を備えること，及び，「該プログラムを記憶するメモリ等記憶手段」を備えていることは自明であって，それらは，本願発明の「浄化剤投入制御部プログラム」及び「プログラム記憶部」に相当している。
　
　したがって，両者は，以下の点で一致している。 
（一致点） 
「塩素等の浄化剤を貯留する浄化剤貯留部と，浄化剤投入制御部プログラムが記憶されるプログラム記憶部と， 
　使用者の入浴パターンを取得する手段と， 
　取得した使用者の入浴パターンに基づいて浄化剤投入時刻を決定し，浄化剤投入時刻に浄化剤を投入する浄化剤投入制御手段と， 
　を備えた浴水浄化循環装置。」 
 　 
そして，以下の点で相違している。 
（相違点１） 
　使用者の入浴パターンを取得する手段が，本願発明は，「予め予想した入浴人数データテーブル，入浴時間データテーブル，入浴間隔データテーブル，浴水入替間隔データテーブル，カレンダデータテーブル等の複数の入浴パターンのデータが予め記録された入浴パターン記録部と，該入浴パターン記録部から読み出される入浴パターンデータに対応する名称，アイコン，その他のメニュー情報を出力表示する表示手段と，該表示手段に表示される複数の入浴パターンのうち，使用者の入浴形態に最も近い各入浴パターンを選択入力する入浴パターン選択手段」であるのに対して，刊行物１記載の発明は，「循環する浴水に電圧を印可し，浴水に流れる電流を検出する電流検出手段と，時刻を出力する計時手段と，電流検出手段により検出された電流値と計時手段から出力された時刻を記憶する電流・時刻記憶手段と，この電流・時刻記憶手段に記憶された電流値と時刻に基づいて入浴の有無と汚濁度合いを判定する入浴・汚濁度合判定手段と，この入浴・汚濁度合判定手段で入浴したと判定された時刻と汚濁度合いを記憶する入浴・汚濁度合い記憶手段と，この入浴・汚濁度合い記憶手段の出力から入浴パターンを算出する入浴パターン算出手段」であって，本願発明のように，入浴パターンデータを表示して，使用者が選択入力することによって取得するものではない点。 
 　 
（相違点２） 
　相違点１に関連して，浄化剤投入制御手段が，本願発明は，「入浴パターン選択手段により選択入力された入浴人数データテーブル，入浴時データテーブル，入浴間隔データテーブル，浴水入替間隔データテーブル，カレンダデータテーブル等のデータを適切に組み合わせ，浄化剤投入量，投入時刻等を含んで生成された浄化剤投入データを含む投入データテーブルに基づいて浄化剤投入する時刻に，浄化剤貯留部を投入制御する」ものであるのに対して，刊行物１記載の発明は，入浴パターンに基づいて塩素剤を投入する時刻を定め，定めた時刻に殺菌手段に対して塩素剤を投入するように指令するものであって，本願発明のような浄化剤投入データを含む投入データテーブルを使用するものではない点。
 　 
２．相違点についての判断
（１）相違点１について 
　相違点１に係る本願発明の「使用者の入浴パターンを取得する手段」は，予め予想した入浴人数データや入浴時間データ等の複数の入浴パターンのデータをテーブルにして記憶しておき，記憶した複数の入浴パターンのデータに対応する名称等を表示手段に表示して，表示される複数の入浴パターンのデータから使用者の入浴形態に最も近い各入浴パターンを使用者に選択させて入浴パターンを取得するものである。
　これに対して，刊行物２記載の発明の「使用者が設定したい時間帯に対応する表示にカーソルを移動させて入浴時間帯をセットさせる」こと，及び，「入浴・非入浴情報」が上記相違点１に係る本願発明の「使用者の入浴形態に最も近い各入浴パターンを使用者に選択させ」ること，及び，「入浴パターン」に相当しているから，使用者の入浴パターンを取得する手段として，「使用者の入浴形態に最も近い各入浴パターンを使用者に選択させて入浴パターンを取得する」ものは，刊行物２記載の発明として開示されており，公知の技術である。
　そして，刊行物１記載の発明において，使用者の入浴パターンを取得する手段として，「電流検出手段」等によって自動的に取得する手段に代えて，上記公知の技術を用いることが，当業者にとって困難性を伴うとは認められない。
　
　ここで，本願発明では，取得する入浴パターンが，入浴人数，入浴時間，入浴間隔，浴水入替間隔，カレンダ等複数の入浴パターンから構成されているが，刊行物１記載の発明においても，取得する入浴パターンとして曜日毎，入浴時間毎の入浴度数が示されているように複数の入浴パターンが想定されており，刊行物１記載の発明において，入浴パターンを複数の入浴パターンから構成することは，当業者が容易になし得たことであって，該複数の入浴パターンとして，上記入浴人数，入浴時間，入浴間隔，浴水入替間隔，カレンダによる入浴パターンを設定することにより格別の効果が生じるものではないから，複数の入浴パターンを入浴人数，入浴時間，入浴間隔，浴水入替間隔，カレンダについての入浴パターンにすることは当業者が必要に応じて適宜なし得た設計事項である。
　
　また，本願発明は，使用者に入浴パターンを選択させるに際して，複数の入浴パターンのデータを記憶しておき，記録した入浴パターンデータに対応する名称，アイコン，その他のメニュー情報を表示して選択するようにしているが，そのような表示・選択手段は，データ入力手法として例示するまでもなく周知の手法に過ぎない。
　
　してみると，刊行物１記載の発明において，使用者の入浴パターンを取得する手段として，使用者に選択させて取得する手段を採用し，該採用に際して，入浴パターンを複数の入浴パターンから構成すると共に，選択させるために，入浴パターンデータに対応する名称，アイコン，その他のメニュー情報を出力表示する表示手段を用いることは，当業者が容易になし得たことである。
　
　したがって，上記相違点１に係る本願発明の構成は，刊行物１，２記載の発明及び周知の技術から，当業者が容易になし得たものである。
 　 
（２）相違点２について 
　相違点２に係る本願発明の「浄化剤投入制御手段」は，浄化剤貯留部の投入制御を「浄化剤投入量，投入時刻等を含んで生成された浄化剤投入データを含む投入データテーブル」に基づいて行うとしているが，該投入制御は，浄化剤投入量及び投入時刻等を含んで生成された「浄化剤投入データ」に基づいて行えばすむことであって，該浄化剤投入データを含む「投入データテーブル」に基づいて行う理由は不明である（そもそも「投入データテーブル」の技術的意味自体が，発明の詳細な説明を見ても不明ではある。）。
　いずれにせよ，上記投入制御に必要なデータは，浄化剤投入データに含まれる浄化剤投入量，投入時刻等のデータであることは明らかである。
　してみると，上記相違点２に係る本願発明の構成は，使用者により選択された入浴人数データテーブル，入浴時データテーブル等の複数のデータを適切に組み合わせ，浄化剤投入量及び投入時刻等を算出して，算出した投入時刻に，浄化剤投入部を投入制御することをその主たる構成とするものであると考えられる。
　
　これに対して，刊行物１記載の発明は，入浴パターンに基づいて塩素剤を投入する時刻を定めるものであって，上記記載事項（１ｂ）に記載されているように，該入浴パターンは，入浴時，入浴度数，曜日等の複数のデータを想定したものであるから，刊行物１記載の発明の「入浴パターンに基づいて塩素剤を投入する時刻を定める」という構成は，本願発明の「複数のデータを適切に組み合わせ，投入時刻等を算出」するという構成に相当している。
　
　そうすると，結局，相違点２は，（ア）複数のデータを適当に組み合わせて算出する投入制御のためのデータとして「浄化剤投入量」を含ませるか否か，及び，（イ）取得した入浴パターンのデータ，及び，それを基に生成した「投入時刻等」投入制御のためのデータが，データテーブルの形式を採っているか否かの相違と認められる。
　
　しかしながら，刊行物１記載の発明においても，上記記載事項（１ｃ）に記載されているように，汚染度合いのデータに基づくものではあるものの「浄化剤投入量」を算出することは考慮されているし，本願発明が「浄化剤投入量」を算出するために特別な構成を有するものでもなく，該「浄化剤投入量」を複数の入浴パターンのデータを組み合わせて算出することにより格別の効果が生じるものではないから，上記算出する投入制御のためのデータとして浄化剤投入量を含ませることは，当業者が必要に応じて適宜なし得たことである。また，各種データをテーブルの形式として処理することは，情報処理技術として周知の技術であって，刊行物１記載の発明において，「入浴パターン」及び「投入時刻等」をテーブル形式のデータとすることを妨げる要因もない。
　
　したがって，上記相違点２に係る本願発明の構成は，刊行物１記載の発明及び情報処理における周知の技術から，当業者が容易になし得たものである。
　
（３）本願発明の効果について
　本願発明が，上記相違点１及び２に係る構成を共に備えることによって，格別の効果が生じるとも認められない。
 　 
（４）まとめ
　よって，本願発明は，刊行物１，２記載の発明及び周知技術に基づいて当業者が容易に発明をすることができたものであるから，特許法第２９条第２項の規定により特許を受けることができない。
　
　
第５　むすび 
　以上のとおり，本願発明は，刊行物１，２記載の発明及び周知技術に基づいて，当業者が容易に発明をすることができたものであり，特許法第２９条第２項の規定により特許を受けることができないから，他の請求項について検討するまでもなく，本願は拒絶すべきものである。
　よって，結論のとおり審決する。